(57)【要約】【課題】フェンダ幅の変更を容易にして作業効率を向上させる。【解決手段】機体から左右外側方に延出する車軸９に、複数の耕耘爪１０を備える車軸耕耘式の歩行型管理機１であって、車軸９の基部上方を覆う固定フェンダ１８と、該固定フェンダ１８よりも左右外側方に延出してフェンダ幅を延長する左右一対の延長フェンダ２０とを備え、該延長フェンダ２０を左右方向にスライド自在とし、該スライドにもとづいてフェンダ幅を変更可能とする。【選択図】図２
2012005431.tif 000002
【特許請求の範囲】
【請求項１】
機体から左右外側方に延出する車軸に、複数の耕耘爪を備える車軸耕耘式の歩行型管理機であって、
前記車軸の基部上方を覆う固定フェンダと、該固定フェンダよりも左右外側方に延出してフェンダ幅を延長する左右一対の延長フェンダとを備え、該延長フェンダを左右方向にスライド自在とし、該スライドにもとづいてフェンダ幅を変更可能にしたことを特徴とする歩行型管理機。
【請求項２】
前記延長フェンダと固定フェンダとの間に、アタッチメントを装着可能な空間を設けると共に、延長フェンダ及び／又は固定フェンダに、アタッチメントを固定するためのアタッチメント固定部を設けたことを特徴とする請求項１記載の歩行型管理機。
【請求項３】
前記延長フェンダの後部に、車軸の後方を覆う回動自在なリヤカバーを設けたことを特徴とする請求項１又は２記載の歩行型管理機。
【発明の詳細な説明】
【技術分野】
【０００１】
本発明は、固定フェンダ及び延長フェンダを備える車軸耕耘式の歩行型管理機に関する。
【背景技術】
【０００２】
機体から左右外側方に延出する車軸に、複数の耕耘爪を備える車軸耕耘式の歩行型管理機が知られている（例えば、特許文献１参照）。この種の歩行型管理機は、通常、車軸の上方を覆うフェンダを備えており、該フェンダによって泥や石の跳ね上げを防止している。また、この種の歩行型管理機は、うね間を耕耘する中耕作業に用いられるので、作物との接触を可及的に回避するために、フェンダ幅を比較的狭くしているが、フェンダを機体転倒時のガード部材として機能させる場合は、フェンダ幅を可及的に広くすることが好ましい。
【０００３】
そこで、既設の固定フェンダよりも左右外側方に延出してフェンダ幅を延長する後付けの延長フェンダが提案されている。このような延長フェンダによれば、後付けにより歩行型管理機のフェンダ幅を延長することができるので、機体転倒時に機体をガードし、機体の損傷を抑えることができる。
【先行技術文献】
【特許文献】
【０００４】
【特許文献１】特開２００９−２０号公報
【発明の概要】
【発明が解決しようとする課題】
【０００５】
しかしながら、従来の歩行型管理機では、作業条件などに応じてフェンダ幅を変更するにあたり、延長フェンダを着脱する必要があるので、着脱に時間がかかって作業効率が低下するという問題があった。
【課題を解決するための手段】
【０００６】
本発明は、上記の如き実情に鑑みこれらの課題を解決することを目的として創作されたものであって、機体から左右外側方に延出する車軸に、複数の耕耘爪を備える車軸耕耘式の歩行型管理機であって、前記車軸の基部上方を覆う固定フェンダと、該固定フェンダよりも左右外側方に延出してフェンダ幅を延長する左右一対の延長フェンダとを備え、該延長フェンダを左右方向にスライド自在とし、該スライドにもとづいてフェンダ幅を変更可能にしたことを特徴とする。
また、前記延長フェンダと固定フェンダとの間に、アタッチメントを装着可能な空間を設けると共に、延長フェンダ及び／又は固定フェンダに、アタッチメントを固定するためのアタッチメント固定部を設けたことを特徴とする。
また、前記延長フェンダの後部に、車軸の後方を覆う回動自在なリヤカバーを設けたことを特徴とする。
【発明の効果】
【０００７】
請求項１の発明によれば、延長フェンダを左右方向にスライド自在とし、該スライドにもとづいてフェンダ幅を変更するようにしたので、作業条件などに応じてフェンダ幅を変更する際、延長フェンダを着脱する必要がなくなり、その結果、フェンダ幅の変更を容易にして作業効率を向上させることができる。
また、請求項２の発明によれば、延長フェンダと固定フェンダとの間に、アタッチメントを装着可能な空間を設けると共に、延長フェンダ及び／又は固定フェンダに、アタッチメントを固定するためのアタッチメント固定部を設けたので、延長フェンダをアタッチメント装着部材に兼用し、部品点数の削減、構造の簡略化、コストダウンなどを図ることができる。
また、請求項３の発明によれば、延長フェンダの後部に、車軸の後方を覆う回動自在なリヤカバーを設けたので、延長フェンダをリヤカバー支持部材に兼用し、部品点数の削減、構造の簡略化、コストダウンなどを図ることができる。
【図面の簡単な説明】
【０００８】
【図１】本発明の実施形態に係る歩行型管理機の側面図である。
【図２】フェンダ幅を広くした状態を示す歩行型管理機の平面図である。
【図３】フェンダ幅を狭くした状態を示す歩行型管理機の平面図である。
【図４】リヤカバーを示す後面図である。
【図５】アタッチメントを取り付けた状態を示す歩行型管理機の側面図である。
【図６】アタッチメントを取り付けた状態を示す歩行型管理機の平面図である。
【図７】アタッチメントの側面図である。
【図８】従来例に係る歩行型管理機の側面図である。
【図９】従来例に係る歩行型管理機の平面図である。
【図１０】車軸を省略した従来例に係る歩行型管理機の側面図である。
【図１１】車軸を省略した従来例に係る歩行型管理機の平面図である。
【発明を実施するための形態】
【０００９】
以下、本発明の実施の形態について、図面に基づいて説明する。まず、図８〜図１１に示す従来例と共通する部分について、図１〜図３を参照して説明する。図１〜図３において、１は車軸耕耘式の歩行型管理機であって、該歩行型管理機１は、前後方向に沿う機体フレーム２を備え、該機体フレーム２の下側に、前低後高状に傾斜するチェンケース３が配置される一方、機体フレーム２の上側に、動力源であるエンジン４が搭載されている。
【００１０】
エンジン４の左側面部には、エンジン４の動力をチェンケース３に伝達するベルト伝動機構（図示せず）と、これを覆うベルトカバー５が設けられている。また、エンジン４の上部には、ステー６を介して燃料タンク７が設けられると共に、燃料タンク７の周囲を覆うエンジンカバー８が設けられている。
【００１１】
チェンケース３の下部には、エンジン動力で駆動される車軸９が設けられている。車軸９は、チェンケース３の下部から左右に延出しており、その中間部に複数の耕耘爪１０が設けられると共に、左右両端部にそれぞれ車輪１１が設けられている。
【００１２】
本実施形態の車軸９は、チェンケース３に突設される固定車軸と、該固定車軸に着脱自在に設けられて軸長を延長する延長軸とを備えて構成されており、例えば、通常の耕耘作業時には、延長軸を取り付けて耕耘幅を広く確保する一方、中耕作業時には、延長軸を取り外して機体幅を狭くすることができるようになっている。
【００１３】
また、チェンケース３の後端部には、作業機連結ヒッチ１２が一体的に設けられている。この作業機連結ヒッチ１２には、抵抗棒１３などの任意の作業機が装着されるようになっている。
【００１４】
さらに、チェンケース３の上端部には、ハンドルフレーム１４が突設されており、該ハンドルフレーム１４に左右のハンドル１５Ｌ、１５Ｒが設けられている。そして、左側のハンドル１５Ｌには、主クラッチレバー１６が設けられ、右側のハンドル１５Ｒには、スロットルレバー１７が設けられている。
【００１５】
エンジン４の下方には、機体の左右中心部から左右外側方に張り出して車軸９の基部上方を覆う固定フェンダ１８が設けられている。この固定フェンダ１８は、主として、耕耘爪１０によって跳ね上げられる泥や石が、耕耘爪１０の上方にあるエンジン４にかかることを防止するために設けたものであって、歩行型管理機１を運転する作業者の足元を保護するためには、車軸９の後方を覆うリヤカバー１９を設ける必要がある。そして、この種のリヤカバー１９は、耕深の変化などに追従するために、上端側を支点として上下回動自在であることが求められる。因みに、従来の歩行型管理機１００では、図８〜図１１に示すように、作業機連結ヒッチ１２に回動支点部材１９ａを突設し、該固定支点部材１９ａでリヤカバー１９を回動自在に支持している。
【００１６】
次に、本発明の実施形態に係る歩行型管理機１と、従来例に係る歩行型管理機１００との相違点、つまり、本発明の特徴的な構成について、図１〜図７を参照して説明する。
【００１７】
図１〜図３に示すように、本発明の実施形態に係る歩行型管理機１は、固定フェンダ１８よりも左右外側方に延出してフェンダ幅を延長する左右一対の延長フェンダ２０を備えている。延長フェンダ２０は、フェンダ幅を延長することにより、車軸９の上方をより広い範囲で覆うだけでなく、機体転倒時に機体をガードし、機体の損傷を抑えるガード部材としても機能させることができる。
【００１８】
本発明の実施形態に係る延長フェンダ２０は、従来の着脱式の延長フェンダとは異なり、機体に対して左右方向にスライド自在に設けられ、該スライドにもとづいてフェンダ幅を変更することができるようになっている。例えば、本実施形態の延長フェンダ２０は、固定フェンダ１８に対してスライド自在に連結されるスライド連結部２０ａと、左右方向に所定の間隔を存して複数のネジ孔２０ｃが形成される固定連結部２０ｂとを有し、いずれかのネジ孔２０ｃを固定フェンダ１８側の孔１８ａに位置合わせし、該孔１８ａを介してネジ孔２０ｃに固定用ネジ２１を螺入することにより、延長フェンダ２０を任意のスライド位置で固定することができるようになっている。このようにすると、作業条件などに応じてフェンダ幅を変更する際、延長フェンダ２０を着脱する必要がないので、フェンダ幅の変更を容易にして作業効率を向上させることができる。
【００１９】
また、本実施形態では、図１〜図４に示すように、延長フェンダ２０の後部に、車軸９の後方を覆う回動自在なリヤカバー１９を設けている。例えば、本実施形態の延長フェンダ２０は、断面円形のパイプ材又は棒材を枠状に曲げ加工して構成されており、その後端部２０ｄをリヤカバー１９の回動支点として機能させるようになっている。このようにすると、延長フェンダ２０をリヤカバー支持部材に兼用することができるので、従来の回動支点部材１９ａが不要となり、部品点数の削減、構造の簡略化、コストダウンなどを図ることができる。
【００２０】
また、本実施形態では、図５〜図７に示すように、延長フェンダ２０と固定フェンダ１８との間に、アタッチメント２２を装着可能な空間２３を設けると共に、延長フェンダ２０及び／又は固定フェンダ１８に、アタッチメント２２を固定するためのアタッチメント固定部を設けている。例えば、本実施形態の延長フェンダ２０では、アタッチメント固定部として２本のピン２０ｅを突設してある。そして、アタッチメント２２側にもこのピン２０ｅに対応した取付溝２２ａや取付孔（図示せず）を形成しておけば、延長フェンダ２０と固定フェンダ１８との間の空間２３に装着したアタッチメント２２を延長フェンダ２０に対して固定することが可能になる。このようにすると、延長フェンダ２０をアタッチメント装着部材に兼用することができるので、専用のアタッチメント装着部材が不要となり、部品点数の削減、構造の簡略化、コストダウンなどを図ることができる。
【００２１】
因みに、図５〜図７に示すアタッチメント２２は、粒状又は粉状の薬剤を貯留し、機体の振動に応じて下部のノズル２２ｂから薬剤を散布する薬剤散布機であって、ピン２０ｅの位置と対応する逆Ｌ字状の取付溝２２ａを備えている。尚、アタッチメント２２としては、薬剤散布機以外にも各種のアタッチメントを適用することができる。例えば、耕深調整に用いるウェイト（錘部材）を例示することができる。
【００２２】
叙述の如く構成された本実施形態によれば、機体から左右外側方に延出する車軸９に、複数の耕耘爪１０を備える車軸耕耘式の歩行型管理機１であって、車軸９の基部上方を覆う固定フェンダ１８と、該固定フェンダ１８よりも左右外側方に延出してフェンダ幅を延長する左右一対の延長フェンダ２０とを備え、該延長フェンダ２０を左右方向にスライド自在とし、該スライドにもとづいてフェンダ幅を変更可能にしたので、作業条件などに応じてフェンダ幅を変更する際、延長フェンダ２０を着脱する必要がなくなり、その結果、フェンダ幅の変更を容易にして作業効率を向上させることができる。
【００２３】
また、延長フェンダ２０と固定フェンダ１８との間に、アタッチメント２２を装着可能な空間２３を設けると共に、延長フェンダ２０及び／又は固定フェンダ１８に、アタッチメント２２を固定するためのアタッチメント固定部（ピン２２ａ）を設けたので、延長フェンダ２０をアタッチメント装着部材に兼用し、部品点数の削減、構造の簡略化、コストダウンなどを図ることができる。しかも、アタッチメント２２を、耕耘幅内に収まるように機体の左右に配置することができるので、良好な機体バランスが得られる。
【００２４】
また、延長フェンダ２０の後部に、車軸９の後方を覆う回動自在なリヤカバー１９を設けたので、延長フェンダ２０をリヤカバー支持部材に兼用し、部品点数の削減、構造の簡略化、コストダウンなどを図ることができる。
【符号の説明】
【００２５】
１      歩行型管理機
９      車軸
１０    耕耘爪
１１    車輪
１８    固定フェンダ
１９    リヤカバー
２０    延長フェンダ
２２    アタッチメント
２２ａ  ピン（アタッチメント固定部）
２３    空間
【図１】
2012005431.tif 000003
【図２】
2012005431.tif 000004
【図３】
2012005431.tif 000005
【図４】
2012005431.tif 000006
【図５】
2012005431.tif 000007
【図６】
2012005431.tif 000008
【図７】
2012005431.tif 000009
【図８】
2012005431.tif 000010
【図９】
2012005431.tif 000011
【図１０】
2012005431.tif 000012
【図１１】
2012005431.tif 000013